(57)【特許請求の範囲】
【請求項１】
枠体内を水平に滑動してこの枠体内を開閉可能となされた一対の外戸と内戸とを具備し、
外戸の戸先縦框の内側には、内戸の召縦框に当接してこれら外戸と内戸とを完全に重なり合わないようにするストッパが設けられて引き残し部が設けられ、
外戸および内戸の戸先縦框の外側には、戸枠の側枠から離れる方向にオフセット間隔を設けて突設された支持脚と、この支持脚間に固定された把手本体とからなる手摺りが設けられてなり、
引き残し部は、手摺りの支持脚が固定できる程度の狭い幅に形成され、
手摺りを持って外戸または内戸を滑動させることで、これら外戸または内戸と、手摺りとが緩衝することなく開閉可能となされたことを特徴とする引き戸構造。
【発明の詳細な説明】
【０００１】
【発明の属する技術分野】
本発明は、引き戸に関するものである。
【０００２】
【従来の技術】
従来より、図３に示すように、枠体ａ内を水平に滑動可能となされた一対の引き戸ｂは、有効開口を大きくするために、一方の引き戸ｂが他方の引き戸ｂに完全に重なり合う位置まで滑動して、枠体ａの幅の約半分の有効開口が得られるようになされている。
【０００３】
したがって、引き戸ｂの把手ｃも、縦桟ｄに凹設するようにして設けられ、引き戸ｂ同士が重なり合っても緩衝しないようになされていた。
【０００４】
【発明が解決しようとする課題】
しかし、上記従来の引き戸ｂでは、引き戸ｂ同士が完全に重なり合った状態から、引き戸ｂを閉める場合、把手ｃが隠れているので操作しにくくなるといった不都合を生じる。
【０００５】
また、把手ｃは、引き戸ｂ同士が重なり合っても緩衝しないように凹設されており、しかも、縦桟ｄの両側に設けなければならないため、単に指が引っかかる程度にしか形成できない。したがって、高齢者などにとっては引き戸ｂの開閉が煩わしくなるといった不都合を生じることとなる。
【０００６】
本発明は、係る実情に鑑みてなされたものであって、簡単に開閉できしかも充分な有効開口を確保することができる引き戸構造を提供することを目的としている。
【０００７】
【課題を解決するための手段】
上記課題を解決するための本発明の引き戸構造は、枠体内を水平に滑動してこの枠体内を開閉可能となされた一対の外戸と内戸とを具備し、外戸の戸先縦框の内側には、内戸の召縦框に当接してこれら外戸と内戸とを完全に重なり合わないようにするストッパが設けられて引き残し部が設けられ、外戸および内戸の戸先縦框の外側には、戸枠の側枠から離れる方向にオフセット間隔を設けて突設された支持脚と、この支持脚間に固定された把手本体とからなる手摺りが設けられてなり、引き残し部は、手摺りの支持脚が固定できる程度の狭い幅に形成され、手摺りを持って外戸または内戸を滑動させることで、これら外戸または内戸と、手摺りとが緩衝することなく開閉可能となされたものである。
【０００９】
【発明の実施の形態】
以下、本発明の実施の形態を図面を参照して説明する。
【００１０】
図１は引き戸構造の全体構成の概略を示し、図２は同断面図を示している。
【００１１】
すなわち、この引き戸構造は、玄関枠１内を一対の外戸２と内戸３とが滑動可能となされ、外戸２にストッパ４が設けられ、内戸３に手摺り５が設けられている。
【００１２】
玄関枠１は、下枠１１、上枠１２および両側枠１３によって矩形に枠組みされる。下枠１１には、平行する二本のレール１１ａ、１１ｂが設けられている。この下枠１１は、床面Ｆに設けられる。上枠１２にも、下枠１１と同様に平行する二本のレール（図示省略）が設けられている。この上枠１２は、両側枠１３とによって門型に組まれ、上記下枠１１上に設けられる。
【００１３】
外戸２は、下桟２１、上桟２２、戸先縦框２３とよび召縦框２４によって矩形に枠組されている。この矩形に枠組された外戸２のうち、内側Ａにはガラス板２５が設けられ、外側Ｂには格子板２６が設けられている。この外戸２は、玄関枠１の外側のレール１１ａに嵌め込まれ、このレール１１ａに沿って、玄関枠１内を滑動可能となされている。
【００１４】
内戸３は、上記外戸２と同様に、下桟３１、上桟３２、戸先縦框３３および召縦框３４によって矩形に枠組されている。この矩形に枠組された内戸３のうち、内側Ａにはガラス板３５が設けられ、外側Ｂには格子板３６が設けられている。この内戸３は、玄関枠１の内側のレール１１ｂに嵌め込まれ、このレール１１ｂに沿って、玄関枠１内を滑動可能となされている。
【００１５】
上記外戸２と内戸３とは、外戸２の戸先縦框２３と玄関枠１とが閉じ合わされ、内戸３の戸先縦框３３と玄関枠１とが閉じ合わされた状態で、外戸の召縦框２４と内戸３の召縦框３４とが重なり合うことで、玄関枠１が閉じた状態となされる。
【００１６】
ストッパ４は、外戸２の戸先縦框２３の内側Ａに設けられ、内戸３の召縦框３４に当接するようになされている。このストッパ４が内戸３の召縦框３４に当接することで、外戸２と内戸３とは、完全に重なり合うことなく、外側Ｂから見て内戸３の戸先縦框３３の一部が引き残し部３３ａとして露出するようになされるとともに、内側Ａから見て外戸２の戸先縦框２３の一部が引き残し部２３ａとして露出するようになされている。
【００１７】
手摺り５は、内戸３の戸先縦框３３の前記引き残し部３３ａから外側Ｂに突設される一対の支持脚５１、５１と、この支持脚５１、５１間に固定され、戸先縦框３３に沿うようになされた棒状の把手本体５２とによって構成されている。支持脚５１、５１は、引き残し部３３ａから外側Ｂに単純に突設されると、この内戸３を閉めた状態で玄関枠１の側枠１３との距離が充分に取れないこととなるため、この側枠１３から離れる方向にオフセット間隔Ｄが設けられている。また、支持脚５１、５１は、外戸２よりもさらに外側Ｂに把手本体５２が位置するように突設されている。
【００１８】
この手摺り５は、内戸３の戸先縦框３３の前記引き残し部３３ａに設けているため、外戸２と緩衝することもない。逆に、引き残し部３３ａは、この手摺り５の支持脚５１を固定することができる程度でよく、引き残し部３３ａを大きく残しておく必要がないので、外戸２と内戸３とを重ね合わせた状態まで開口したのに匹敵する充分な有効開口を得ることができる。
【００１９】
また、手摺り５は、外戸２のさらに外側Ｂに突出するように設けられているため、内戸３の戸先縦框３３の前記引き残し部３３ａに凹設される従来の把手（図示省略）などと比較しても非常に容易に開閉作業を行うことができる。
【００２０】
なお、外戸２の戸先縦框２３の外側Ｂには、この外側Ｂに突設される一対の支持脚６１、６１と、この支持脚６１、６１間に固定され、戸先縦框２３に沿うようになされた棒状の把手本体６２とによって構成される手摺り６が設けられる。この支持脚６１も、玄関枠１の側枠１３から離れる方向にオフセット間隔Ｄが設けられる。また、把手本体６１は、内戸２に設けられた把手本体５１と同じ突出位置に揃えられる。
【００２１】
また、本実施の形態では、内戸２および外戸３の外側Ｂにのみ手摺り５、６を設けているが、これら内戸２および外戸３の内側Ａにも同様の手摺り５、６が設けられていてもよい。
【００２２】
さらに、本実施の形態では、玄関枠１は、下枠１１、上枠１２および両側枠１３、１３によって矩形に形成されているが、下枠１１が無く、外戸２および内戸３を上枠１２につり下げた状態で滑動可能とするものであってもよい。また、この引き戸構造は、玄関以外の住宅内部の所望の部位に設けられてもよい。
【００２３】
【発明の効果】
以上述べたように、本発明によると、引き残し部は、手摺りの支持脚が固定できる程度の狭い幅に形成しているので、充分な有効開口を確保することができる。しかも、手摺りは、戸枠の側枠から離れる方向にオフセット間隔を設けて突設された支持脚と、この支持脚間に固定された把手本体とからなるので、しっかりと手でつかむことができ、高齢者などであっても容易に開閉することができる。
【図面の簡単な説明】
【図１】（ａ）および（ｂ）は、それぞれ閉じた状態および開いた状態における本発明に係る引き戸構造の全体構成の概略を示す正面図である。
【図２】本発明に係る引き戸構造の水平断面図である。
【図３】（ａ）および（ｂ）は、それぞれ閉じた状態および開いた状態における従来の引き戸構造を示す断面図である。
【符号の説明】
１  玄関枠
２  内戸
２３ａ  引き残し部
３  外戸
３３ａ  引き残し部
４  ストッパ
５  手摺り
【図１】
0003781169.tif 000002
【図２】
0003781169.tif 000003
【図３】
0003781169.tif 000004